(57)【要約】【課題】貼付剤の剥離シートの剥離をより簡単に行うことのできる貼付剤貼付用補助具を提供すること。【解決手段】本発明による貼付剤貼付用補助具（１０）は、貼付剤（１００）を保持する保持部（１２）と、保持部の両縁部に折曲げ可能に連設された持ち手部（１４，１６）とからなり、保持部及び持ち手部のそれぞれに再剥離性の粘着部（２４，２８，３２）が設けられている。この構成では、持ち手部を保持部に重ねるよう折り曲げてその間に貼付剤を挟むと、持ち手部の粘着部が貼付剤の部分剥離シート（１３０ｂ，１３０ｃ）に付着される。したがって、持ち手部を開くだけで、部分剥離シートを剥離することが可能となる。【選択図】図２
2019115570.tif 000002
【特許請求の範囲】
【請求項１】
粘着剤層を一面に有する支持体、及び前記粘着剤層の表面に剥離可能に付着された剥離シートから構成されている貼付剤であり、前記剥離シートに少なくとも１本の切断線が形成されている前記貼付剤の貼付を補助するための貼付剤貼付用補助具であって、
当該貼付剤貼付用補助具が、前記貼付剤が載置され保持される保持部と、前記保持部の一方の縁部に第１の折り線を介して連設された第１の持ち手部と、前記保持部の他方の縁部に第２の折り線を介して連設された第２の持ち手部とを有する１枚のシート材から形成されており、
前記貼付剤が載置される前記保持部の載置面には、再剥離性の第１の粘着部が設けられており、
前記第１の持ち手部の、前記載置面と同側の面には、再剥離性の第２の粘着部が設けられており、
前記第２の持ち手部の、前記載置面と同側の面には、再剥離性の第３の粘着部が設けられており、
前記第１の持ち手部を前記第１の折り線に沿って前記保持部側に折り曲げた場合に、前記第１の粘着部に一時的に付着され保持された前記貼付剤の前記剥離シートのうち前記切断線から前記第１の持ち手部側の縁部までの部分に前記第２の粘着部が一時的に付着するようになっており、
前記第２の持ち手部を前記第２の折り線に沿って前記保持部側に折り曲げた場合に、前記第１の粘着部に一時的に付着され保持された前記貼付剤の前記剥離シートのうち前記切断線から前記第２の持ち手部側までの部分に前記第３の粘着部が一時的に付着するようになっている、貼付剤貼付用補助具。
【請求項２】
前記保持部が平担状と逆Ｕ字状との間で折曲げ可能となっている、請求項１に記載の貼付剤貼付用補助具。
【発明の詳細な説明】
【技術分野】
【０００１】
本発明は、貼付剤を所望の部位に貼付する際に使用する貼付剤貼付用補助具に関する。
【背景技術】
【０００２】
従来から、肩こり、腰痛、筋肉痛、筋肉疲労、関節痛等の改善を目的とした多様な貼付剤が流通している。これらの貼付剤は、通常、支持体と、その支持体の一方の面に設けられた、薬効成分を含有する粘着剤層と、粘着層剤の表面に剥離可能に付着された剥離シートとから構成されている。そして、使用時には、剥離シートを粘着剤層から剥がして粘着剤層を露出させ、貼付部位に貼付するようになっている。
【０００３】
しかしながら、貼付剤は、一般に柔軟であり取り扱いにくく、シワになりやすいという問題がある。
【０００４】
そこで、従来においては、例えば下記特許文献１に記載されているような貼付剤貼付用補助具が提案されている。特許文献１に記載の補助具は、貼付剤が載置され保持される山形に折曲げ可能な貼付剤保持部を有する板状体を備えるものである。このような貼付剤貼付用補助具は、剥離シートの中央部に切断線（弱化線）を有する貼付剤に特に有効である。すなわち、山形の貼付剤保持部に貼付剤を載せた場合、山形の稜線部分にて剥離シートの切断線が押され、剥離シートの端縁が粘着剤層から剥がれ、シワを生ずることなく剥離シート全体を剥離することが可能となる。また、板状体の両側を持ち手として把持して引っ張ると、山形の貼付剤保持部は貼付剤を保持したまま平らになるため、貼付剤を背中に貼り易くなる。
【先行技術文献】
【特許文献】
【０００５】
【特許文献１】特許第５４４２１１２号公報
【発明の概要】
【発明が解決しようとする課題】
【０００６】
特許文献１に開示されている従来の貼付剤貼付用補助具は十分に満足いく器具ではあるが、剥離シートをシワを作ることなく、より簡単に剥離したいという要請が依然としてある。本発明の目的は、かかる要請に応えることのできる貼付剤貼付用補助具を提供することにある。
【課題を解決するための手段】
【０００７】
上記目的を達成するために、本発明によれば、粘着剤層を一面に有する支持体、及び粘着剤層の表面に剥離可能に付着された剥離シートから構成されている貼付剤であり、剥離シートに少なくとも１本の切断線が形成されている前記貼付剤の貼付を補助するための貼付剤貼付用補助具であって、貼付剤が載置され保持される保持部と、保持部の両縁部に折曲げ可能に連設された持ち手部とからなり、保持部及び持ち手部のそれぞれに再剥離性の粘着部が設けられていることを特徴とする貼付剤貼付用補助具が提供される。より詳細には、本発明の貼付剤貼付用補助具は、保持部と、この保持部の一方の縁部に第１の折り線を介して連設された第１の持ち手部と、保持部の他方の縁部に第２の折り線を介して連設された第２の持ち手部とを有する紙等の１枚のシート材から形成されており、貼付剤が載置される保持部の載置面には、再剥離性の第１の粘着部が設けられており、第１の持ち手部の、載置面と同側の面には、再剥離性の第２の粘着部が設けられており、第２の持ち手部の、載置面と同側の面には、再剥離性の第３の粘着部が設けられている。第１及び第２の持ち手部を第１及び第２の折り線に沿って保持部側に折り曲げた場合には、第１の粘着部に一時的に付着されている貼付剤の剥離シートに第２及び第３の粘着部が一時的に付着することになる。
【０００８】
また、保持部は平担状と逆Ｕ字状との間で折曲げ可能となっていることが好ましい。
【発明の効果】
【０００９】
本発明による貼付剤貼付用補助具は、１枚の紙等のシート材から組み立てられるものであるため、補助具自体が軽量であり、取扱いが容易である。また、補助具の製作コストも安価となる。
【００１０】
また、第１及び第２の持ち手部を第１及び第２の折り線に沿って保持部側に折り曲げた場合には、貼付剤の剥離シートに第２及び第３の粘着部が一時的に付着し、その付着した部分剥離シートを、第１及び第２の持ち手部を広げるだけで剥離することができる。したがって、従来の貼付剤貼付用補助具に求められていた剥離シートの剥離作業がより簡単なものとなる。
【図面の簡単な説明】
【００１１】
【図１】本発明の一実施形態に係る貼付剤貼付用補助具の使用直前の状態であって、貼付剤を保持する前の状態を示す斜視図である。
【図２】本発明の一実施形態に係る貼付剤貼付用補助具の使用直前の状態であって、貼付剤を保持した直後の状態を示す斜視図である。
【図３】図１及び図２の本発明による貼付剤貼付用補助具の組立て前の状態を示す正面図である。
【図４】本発明による貼付剤貼付用補助具を折り曲げた状態を示す斜視図である。
【図５】本発明による貼付剤貼付用補助具を、図４の状態からさらに折り曲げた状態を示す斜視図である。
【図６】本発明による貼付剤貼付用補助具を折り曲げて貼付剤を保持した状態を示す斜視図である。
【図７】図６の状態から貼付剤の剥離シートを剥離する手順を示す、本発明による貼付剤貼付用補助具の斜視図である。
【図８】図７の状態から貼付剤の剥離シートを全て剥離した状態を示す、本発明による貼付剤貼付用補助具の斜視図である。
【図９】本発明による貼付剤貼付用補助具を使用して貼付剤を貼付する方法を示す斜視図である。
【発明を実施するための形態】
【００１２】
以下、図面を参照しながら、本発明による貼付剤貼付用補助具（以下、単に「補助具」とも称する）の好適な実施形態について詳細に説明する。尚、図中、同一又は相当部分には同一符号を付し、その詳細な説明は省略する。
【００１３】
図１〜図５は、本発明の一実施形態による貼付剤貼付用補助具１０を示している。図１及び図２に示すように、補助具１０は、貼付剤１００を保持する保持部１２と、この保持部１２の両側から一体的に延びる第１及び第２の持ち手部１４，１６とから構成されている。なお、図示実施形態で使用する貼付剤１００は、薬効成分を含有する粘着剤層１１０（図７及び図８参照）が一方の面に設けられた矩形形状の支持体１２０と、粘着剤層１１０上に剥離可能に付着された剥離シート１３０とから構成されており、剥離シート１３０は、短辺に沿って延びる２本の波形の切断線（弱化線）１４０，１５０によって３つの部分剥離シート１３０ａ，１３０ｂ，１３０ｃに分割して剥離することが可能となっている。
【００１４】
図３は貼付剤貼付用補助具１０の使用前の状態を示す正面図であり、図４及び図５はこの補助具１０を折り曲げた状態を示す斜視図である。これらの図から理解されるとおり、補助具１０は、紙やプラスチック、好ましくポリプロピレン等で表面処理された厚紙からなる折曲げ可能な１枚シート材から形成され、使用前にあっては平坦状となっている。紙等のシート材からなるため、この補助具１０は軽量であり、嵩も張らず、使用しない時の収納等に便利である。また、このシート材は、貼付剤１００を保持することができる程度の剛性を有すると共に、貼付剤１００を皮膚にある程度の力を持って押し付けることができるよう適度な弾性を有することが好適である。
【００１５】
図示実施形態の貼付剤貼付用補助具１０は、軸線Ａの方向に長い形状となっている。以下、この軸線Ａを中心軸線という。この補助具１０における中心軸線Ａに沿う中央部分は保持部１２となるものであり、その一方の縁部（図３の左側の縁部）には第１の折り線１８を介して折曲げ可能に第１の持ち手部１４が連設されている。また、保持部１２の反対側の縁部（図３の右側の縁部）には第２の折り線２０を介して折曲げ可能に第２の持ち手部１６が連設されている。
【００１６】
保持部１２は、図示実施形態では平坦な略矩形形状となっている。保持部１２の一方の面（図３で見える側の面であり、以下、便宜的にこの面を第１及び第２の持ち手部１４，１６の同側の面も含めて「表面」という）は、貼付剤１００を載置するための載置面２２となっている。
【００１７】
保持部１２の載置面２２の長さ（中心軸線Ａに平行な方向の長さ）と幅（中心軸線Ａに直交する方向Ｂの長さ）とは、それぞれ、この貼付剤貼付用補助具１０に使用され得る貼付剤１００を適正な向き及び位置で載置面２２に載置した状態でその貼付剤１００全体を載置面２２内に収める大きさとされている。なお、貼付剤１００を載置するときの適正な位置及び向きとは、貼付剤１００の長手方向軸線と保持部１２の中心軸線Ａとが実質的に一致し、且つ貼付剤１００の支持体１２０が保持部１２側となる位置及び向きをいう（図２参照）。
【００１８】
また、保持部１２の載置面２２には、貼付剤１００の支持体１２０に剥離可能に一時的に付着される第１の粘着部２４が設けられている。第１の粘着部２４は、再剥離性の粘着剤を載置面２２に塗布して形成したものが考えられるが、一面が再剥離性粘着剤となっている両面テープを載置面２２に貼り付けたものでもよい。図示実施形態では、第１の粘着部２４は２本あり、保持部１２の側縁部近傍に中心軸線Ａとほぼ平行に延設されている。なお、第１の粘着部２４は、３本以上設けてもよいし、適当な幅で１本だけとしてもよい。また、図示のような細長い矩形である必要はなく、その形状も適宜選択可能である。
【００１９】
さらに、図示の保持部１２には、方向Ｂに延びる２本の折り線２６が形成されており、この折り線２６に沿って保持部１２を、裏面側へと折り曲げることが可能となっている。その結果、保持部１２は図５に示すような逆Ｕ字状となる。
【００２０】
保持部１２に第１の折り線１８を介して連設されている第１の持ち手部１４は、図４に示すように、その表面を保持部１２の表面（載置面２２）に接する位置まで第１の折曲げ線１８に沿って折り曲げることができる。第１の持ち手部１４をこのように折り曲げると、第１の持ち手部１４は、載置面２２上に適正な位置及び向きで載置、保持された貼付剤１００を保持部１２との間で挟み、貼付剤１００の剥離シート１３０と接することになる。
【００２１】
第１の持ち手部１４の長さ及び幅（方向Ｂの長さ）は、図示実施形態の貼付剤貼付用補助具１０に使用される貼付剤１００に応じて適宜変更されるものである。幅については、使用される貼付剤１００の最も長い幅を超えるものが好ましい。また、長さについては、載置面２２の長さの半分以下とすることが好ましいが、図１及び図２に示す２本の切断線１４０，１５０を有する貼付剤１００を使用することを考慮した場合、その貼付剤１００を載置面２２に適正な向き及び位置で載置した状態で、第１の持ち手部１４は、少なくとも、切断線１４０から第１の持ち手部１４側の縁部までの部分剥離シート１３０ｂに接するよう長さに定められるとよい。
【００２２】
第１の持ち手部１４の表面には、第２の粘着部２８が設けられている。この粘着部２８は、載置面２２にて保持された貼付剤１００の部分剥離シート１３０ｂを剥離するために用いられるものであり、部分剥離シート１３０ｂに剥離可能に付着されるようになっている。すなわち、第１の持ち手部１４を保持部１２から離す方向に移動させたとき、第２の粘着部２８に付着された部分剥離シート１３０ｂは貼付剤１００の粘着剤層１１０から引き剥がされるようになっている。第２の粘着部２８も、第１の粘着部２４と同様に、再剥離性の粘着剤を第１の持ち手部１４の表面に塗布して形成したものが考えられるが、一面が再剥離性粘着剤となっている両面テープを貼り付けたものでもよい。また、第２の粘着部２８の形状と位置については、図示実施形態では、第１の持ち手部１４の自由縁部の近傍にて方向Ｂに沿って延びる細長い矩形となっているが、第１の持ち手部１４を折り曲げて貼付剤１００に接触させた状態で貼付剤１００の部分剥離シート１３０ｂに接するならば、形状や位置はどのようなものであってもよい。
【００２３】
なお、図示実施形態では、第２の粘着部２８よりも内側の第１の持ち手部１４には、方向Ｂに延びる折り線３０が形成されている。この折り線３０に沿って第１の持ち手部１４の端を裏面側に折り曲げることができる。
【００２４】
第２の持ち手部１６は第１の持ち手部１４と実質的に同じ構成を有している。すなわち、第２の持ち手部１６は、その表面を保持部１２の表面に接する位置まで第２の折曲げ線２０に沿って折り曲げることができる。また、第２の持ち手部１６の長さ及び幅も第１の持ち手部１４と同様なものとなっている。第２の持ち手部１６の表面には、第３の粘着部３２が設けられているが、この粘着部３２は載置面２２にて保持された貼付剤１００の部分剥離シート１３０ｃを剥離するためのものである。この第２の持ち手部１６にも、第３の粘着部３２よりも内側に、方向Ｂに延びる折り線３４が形成されている。
【００２５】
次に、上述したような構成の貼付剤貼付用補助具１０の作用及び使用方法について、図６〜図９も参照して説明する。
【００２６】
まず、貼付剤貼付用補助具１０を、第１及び第２の持ち手部１４，１６が保持部１２と略面一となるような平坦な状態とし、保持部１２の載置面２２上に貼付剤１００を適正な向き及び位置で載置する（図１及び図２参照）。これにより、貼付剤１００は第１の粘着部２４によって載置面２２に剥離可能に保持される。
【００２７】
次いで、図６に示すように、第１及び第２の持ち手部１４，１６を折り曲げて、載置面２２上の貼付剤１００に重ね合わせる。その結果、第１の持ち手部１４の第２の粘着部２８は貼付剤１００の部分剥離シート１３０ｂに剥離可能に付着し、第２の持ち手部１６の第３の粘着部３２は貼付剤１００の部分剥離シート１３０ｃに剥離可能に付着する。
【００２８】
この後、保持部１２の折り線２６に沿って保持部１２を折り曲げて、図７に示すような逆Ｕ字状とする。そして、第１及び第２の持ち手部１４，１６の折り線３０，３４に沿って持ち手部１４，１６の自由縁部を外側に折り曲げると、切断線１４０，１５０に沿って部分剥離シート１３０ａ，１３０ｂ，１３０ｃは切り離され、切断線１４０，１５０に沿う縁を指で摘まむことが可能となる。このため、使用者は中央の部分剥離シート１３０ａを簡単に除去することができる。
【００２９】
続いて、第１及び第２の持ち手部１４，１６を保持部１２から離れる方向に引っ張ると、第２及び第３の粘着部２８，３２はそれぞれ部分剥離シート１３０ｂ，１３０ｃに付着しており、且つ、保持部１２の第１の粘着部２４は貼付剤１００の支持体１２０に付着しているので、図８に示すように部分剥離シート１３０ｂ，１３０ｃは剥離され、貼付剤１００の粘着剤層１１０の全体が露出する。この際、使用者は部分剥離シート１３０ｂ，１３０ｃを摘まむ必要もなく、幅の広い持ち手部１４，１６を操作するだけでよいので、部分剥離シート１３０ｂ，１３０ｃの剥離も極めて容易である。
【００３０】
この後、使用者は、図９に示すような態様で、第１及び第２の持ち手部１４，１６を持って背中、腰等の所望の部位に貼付剤１００を貼り付ける。この間、貼付剤１００は保持部１２上にてシワのない状態を維持しているので、貼付された状態もシワなく綺麗なものとなる。なお、第１の粘着部２４の粘着力は粘着剤層１１０の人体に対する粘着力よりも弱いため、貼付剤１００が使用者の皮膚に押し付けられた後は、補助具１０を皮膚から離すだけで、貼付剤１００は使用者の皮膚にそのまま残ることになる。
【００３１】
以上、本発明の好適な実施形態について詳細に説明したが、本発明は上記実施形態に限定されないことは言うまでもない。例えば、貼付剤貼付用補助具１０全体或いは各部分の形状等は図示実施形態に限定されない。
【００３２】
また、上記実施形態では、保持部１２に折り線２６が設けられるものとしたが、折り線２６がなくとも、シート材の材質によっては湾曲した状態で保持部１２を逆Ｕ字状とすることが可能である。第１及び第２の持ち手部１４，１６の折り線３０，３４についても必須のものではない。
【００３３】
さらに、上記実施形態では切断線１４０，１５０が２本形成された貼付剤１００を使用するとしたが、切断線が１本だけの貼付剤にも本発明による貼付剤貼付用補助具が適用可能であることは、容易に理解されよう。
【００３４】
また、図９では第１及び第２の持ち手部１４，１６を両手で持って貼付剤することとしているが、第１の持ち手部１４だけをまず開いて貼付剤１００の粘着剤層１１０を露出させて所望の部位にそれを貼り、その後、第２の持ち手部１６を引っ張りつつ残りの貼付剤層１１０を徐々に貼付していくという使い方も可能である。
【符号の説明】
【００３５】
１０…貼付剤貼付用補助具、１２…保持部、１４…第１の持ち手部、１６…第２の持ち手部、１８…第１の折り線、２０…第２の折り線、２２…載置面、２４…第１の粘着部、２６…折り線、２８…第２の粘着部、３０…折り線、３２…第３の粘着部、３４…折り線。
【図１】
2019115570.tif 000003
【図２】
2019115570.tif 000004
【図３】
2019115570.tif 000005
【図４】
2019115570.tif 000006
【図５】
2019115570.tif 000007
【図６】
2019115570.tif 000008
【図７】
2019115570.tif 000009
【図８】
2019115570.tif 000010
【図９】
2019115570.tif 000011
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
粘着剤層を一面に有する支持体、及び前記粘着剤層の表面に剥離可能に付着された剥離シートから構成されている貼付剤であり、前記剥離シートに少なくとも１本の切断線が形成されている前記貼付剤の貼付を補助するための貼付剤貼付用補助具であって、
当該貼付剤貼付用補助具が、前記貼付剤が載置され保持される保持部と、前記保持部の一方の縁部に第１の折り線を介して連設された第１の持ち手部と、前記保持部の他方の縁部に第２の折り線を介して連設された第２の持ち手部とを有する１枚のシート材から形成されており、
前記保持部上には、前記貼付剤の前記支持体が前記保持部側となるように前記貼付剤が載置されると共に、前記切断線から前記貼付剤の一方の縁部に延びる前記剥離シートの第１の部分が前記第１の持ち手部側となるように且つ前記切断線から前記貼付剤の他方の縁部に延びる前記剥離シートの第２の部分が前記第２の持ち手部側となるように前記貼付剤が載置されるようになっており、
前記貼付剤が載置される前記保持部の載置面には、再剥離性の第１の粘着部が設けられており、
前記第１の持ち手部の、前記載置面と同側の面には、再剥離性の第２の粘着部が設けられており、
前記第２の持ち手部の、前記載置面と同側の面には、再剥離性の第３の粘着部が設けられており、
前記第１の持ち手部を前記第１の折り線に沿って前記保持部側に折り曲げた場合に、前記第１の粘着部に前記支持体が一時的に付着され保持された前記貼付剤における前記剥離シートの前記第１の部分に前記第２の粘着部が一時的に付着し、前記第１の持ち手部を前記保持部から離れる方向に引っ張った場合に、前記支持体が前記第１の粘着部により保持された状態のまま前記剥離シートの前記第１の部分が前記支持体から剥離するようになっており、
前記第２の持ち手部を前記第２の折り線に沿って前記保持部側に折り曲げた場合に、前記第１の粘着部に前記支持体が一時的に付着され保持された前記貼付剤における前記剥離シートの前記第２の部分に前記第３の粘着部が一時的に付着し、前記第２の持ち手部を前記保持部から離れる方向に引っ張った場合に、前記支持体が前記第１の粘着部により保持された状態のまま前記剥離シートの前記第２の部分が前記支持体から剥離するようになっている、貼付剤貼付用補助具。
【請求項２】
前記保持部が平担状と逆Ｕ字状との間で折曲げ可能となっている、請求項１に記載の貼付剤貼付用補助具。